(57)【要約】【課題】端末の端末識別情報を用いてユーザ情報の登録、管理を容易かつ安全に行い、ユーザ情報を端末に提供する。【解決手段】第１の携帯端末５は、第２の携帯端末７の第２の端末識別情報を読み出し、情報サーバ装置３の情報受信部１１に送信する。情報登録部１３は、情報受信部１１が受信した第２の端末識別情報を、第１の携帯端末５の第１の端末識別情報と対応させて、対応情報記憶部４３に記憶させる。ユーザ情報閲覧提供部１７は、第１の携帯端末５から、第１の携帯端末５の対応情報記憶部４３に記憶された携帯端末のユーザ情報閲覧の要求があった場合に、当該携帯端末に対応するユーザ情報を第１の携帯端末５に送信する。【選択図】図１
2009212619.tif 000002
【特許請求の範囲】
【請求項１】
自身を識別する第１の端末識別情報が予め記憶された第１のユーザの第１の端末と、自身を識別する第２の端末識別情報が予め記憶された第２のユーザの第２の端末と、少なくとも前記第１の端末とネットワークを介して通信を行う情報サーバ装置とを備えたユーザ情報管理システムであって、
前記第１の端末は、
前記第２の端末に記憶された前記第２の端末識別情報を読み出し、読み出した前記第２の端末識別情報と、自身に記憶された前記第１の端末識別情報とを前記情報サーバ装置に送信する端末識別情報送信部を備え、
前記情報サーバ装置は、
前記第１の端末識別情報に対応付けられた前記第１のユーザの属性を示す第１のユーザ情報と、前記第２の端末識別情報に対応付けられた前記第２のユーザの属性を示す第２のユーザ情報とが記憶される記憶部と、
前記第１の端末の前記端末識別情報送信部から送信される前記第１の端末識別情報に対応付けられた前記第１のユーザ情報を前記記憶部から読み出し、また、前記第１の端末の前記端末識別情報送信部から送信される前記第２の端末識別情報に対応付けられた前記第２のユーザ情報を前記記憶部から読み出し、読み出した前記第１のユーザ情報と前記第２のユーザ情報とを対応付ける対応情報を前記記憶部に記憶させる情報登録部とを備える
ことを特徴とするユーザ情報管理システム。
【請求項２】
前記第１の端末は、入力されるユーザ情報と、自身に記憶された前記第１の端末識別情報とを、前記情報サーバ装置に送信するユーザ情報送信部をさらに備え、
前記情報サーバ装置の前記情報登録部は、前記ユーザ情報送信部から送信される前記ユーザ情報と前記第１の端末識別情報とを、前記記憶部に記憶させる
ことをさらに特徴とする請求項１に記載のユーザ情報管理システム。
【請求項３】
第１の端末識別情報に対応付けられた前記第１のユーザの属性を示す第１のユーザ情報と、第２の端末識別情報に対応付けられた第２のユーザの属性を示す第２のユーザ情報とが記憶される記憶部を備えた情報サーバ装置とネットワークを介して通信を行う第１のユーザの第１の端末であって、
自身を識別する第１の端末識別情報が予め記憶された端末情報記憶部と、
第２の端末に記憶された前記第２の端末識別情報を読み出し、読み出した前記第２の端末識別情報と、自身に記憶された前記第１の端末識別情報とを前記情報サーバ装置に送信する端末識別情報送信部と、
を備えることを特徴とする端末。
【請求項４】
自身を識別する第１の端末識別情報が予め記憶された第１のユーザの第１の端末とネットワークを介して通信を行う情報サーバ装置であって、
前記第１の端末識別情報に対応付けられた前記第１のユーザの属性を示す第１のユーザ情報と、第２の端末識別情報に対応付けられた第２のユーザの属性を示す第２のユーザ情報とが記憶される記憶部と、
前記第１の端末から送信される、前記第２の端末に記憶された前記第２の端末識別情報と、前記第１の端末に記憶された前記第１の端末識別情報とを受信する端末識別情報受信部と、
前記端末識別情報受信部が受信する前記第１の端末識別情報に対応付けられた前記第１のユーザ情報を前記記憶部から読み出し、また、前記端末識別情報受信部が受信する前記第２の端末識別情報に対応付けられた前記第２のユーザ情報を前記記憶部から読み出し、読み出した前記第１のユーザ情報と前記第２のユーザ情報とを対応付ける対応情報を前記記憶部に記憶させる情報登録部と、
を備えることを特徴とする情報サーバ装置。
【請求項５】
自身を識別する第１の端末識別情報が予め記憶された第１のユーザの第１の端末と、自身を識別する第２の端末識別情報が予め記憶された第２のユーザの第２の端末と、少なくとも前記第１の端末とネットワークを介して通信を行う情報サーバ装置とを備えたユーザ情報管理システムを用いたユーザ情報管理方法であって、
前記第１の端末の、
端末識別情報送信部が、前記第２の端末に記憶された前記第２の端末識別情報を読み出し、読み出した前記第２の端末識別情報と、自身に記憶された前記第１の端末識別情報とを前記情報サーバ装置に送信するステップと、
前記情報サーバ装置の、
記憶部に、前記第１の端末識別情報に対応付けられた前記第１のユーザの属性を示す第１のユーザ情報と、前記第２の端末識別情報に対応付けられた前記第２のユーザの属性を示す第２のユーザ情報とが記憶されるステップと、
情報登録部が、前記第１の端末の前記端末識別情報送信部から送信される前記第１の端末識別情報に対応付けられた前記第１のユーザ情報を前記記憶部から読み出し、また、前記第１の端末の前記端末識別情報送信部から送信される前記第２の端末識別情報に対応付けられた前記第２のユーザ情報を前記記憶部から読み出し、読み出した前記第１のユーザ情報と前記第２のユーザ情報とを対応付ける対応情報を前記記憶部に記憶させるステップと、
を備えることを特徴とするユーザ情報管理方法。
【請求項６】
第１の端末識別情報に対応付けられた前記第１のユーザの属性を示す第１のユーザ情報と、第２の端末識別情報に対応付けられた第２のユーザの属性を示す第２のユーザ情報とが記憶される記憶部を備えた情報サーバ装置とネットワークを介して通信を行い、自身を識別する第１の端末識別情報が予め記憶された端末情報記憶部を有する第１のユーザの第１の端末に、
端末識別情報送信部が、第２の端末に記憶された前記第２の端末識別情報を読み出し、読み出した前記第２の端末識別情報と、自身に記憶された前記第１の端末識別情報とを前記情報サーバ装置に送信するステップ
を実行させる端末プログラム。
【請求項７】
自身を識別する第１の端末識別情報が予め記憶された第１のユーザの第１の端末とネットワークを介して通信を行う情報サーバ装置に、
記憶部に、前記第１の端末識別情報に対応付けられた前記第１のユーザの属性を示す第１のユーザ情報と、第２の端末識別情報に対応付けられた第２のユーザの属性を示す第２のユーザ情報とが記憶させるステップと、
端末識別情報受信部が、前記第１の端末から送信される、前記第２の端末に記憶された前記第２の端末識別情報と、前記第１の端末に記憶された前記第１の端末識別情報とを受信するステップと、
情報登録部が、前記端末識別情報受信部が受信する前記第１の端末識別情報に対応付けられた前記第１のユーザ情報を前記記憶部から読み出し、また、前記端末識別情報受信部が受信する前記第２の端末識別情報に対応付けられた前記第２のユーザ情報を前記記憶部から読み出し、読み出した前記第１のユーザ情報と前記第２のユーザ情報とを対応付ける対応情報を前記記憶部に記憶させるステップと
を実行させることを特徴とする情報サービスプログラム。
【発明の詳細な説明】
【技術分野】
【０００１】
本発明は、ユーザの属性を示すユーザ情報をネットワークを介して管理する技術に関する。
【背景技術】
【０００２】
従来から、ビジネスなどの場において、個人の紹介をするために名刺が利用されている。このような紙媒体の名刺は、その量が増えると、その大量の名刺の中から特定の人物の名刺を探しだすのは手間がかかるとともに、大量の名刺を持ち歩くことは困難であり、外出中などに特定の人物の名刺を参照して連絡先などを知ることができない。そこで、特許文献１には、名刺に記載された情報を管理する方法として、携帯電話に備えられたカメラ機能を用いて名刺を撮影し、名刺に書かれている情報を取得して携帯電話が備える電話帳機能などに登録することが可能な携帯電話が提案されている。
また、例えば、多数の参加者を募って行う展示イベントにおいて、イベントに出展される各ブースを見学する場合にも、見学者は出展者から名刺の提出を求められることが多い。ここでは、企業は、見学者からもらった名刺を展示会終了後に整理し、見学者の情報をコンピュータに入力して電子情報として管理する。
一方、近年、インターネットなどの通信ネットワークが発達し、このような通信ネットワークを介して提供されるブログサービス、ＳＮＳ（Social Networking Service）などによるコミュニケーションが活発に行われている。ここで、ネットワークにアクセス可能な不特定多数の人に閲覧されるブログと異なり、既存の会員からの紹介を受けないと参加できない紹介性、会員性のＳＮＳは、特定の知人などからしかアクセスされない安心感を持って利用できることが特徴である。
【特許文献１】特開２００７−２８８６０６号公報
【発明の開示】
【発明が解決しようとする課題】
【０００３】
しかしながら、特許文献１に記載されるような、携帯電話が名刺を読み取って情報を登録する場合では、その名刺の所有者に実際に会っていない場合であっても、名刺さえあれば名刺に記載された情報を読み取って、登録することが可能である。
また、上述のような紹介性のＳＮＳであっても、知人の知人など、現実には会った事のないユーザからアクセスされる場合がある。このため、ＳＮＳに登録するユーザ情報は、不特定多数のユーザにアクセスされるブログサービスなどの場合と同様に匿名で登録され、その属性情報も例えば住所や電話番号などの情報を登録し公開するようなことは行われない場合が多い。
また、従来のように、展示会等で収集した大量の名刺の情報を読み出して管理する作業はとても煩雑である。
【０００４】
本発明は、以上の点に鑑みてなされたものであり、電子情報化されたユーザ情報と、現実世界で出会った人物に関する情報とを効率よく関連付けることを可能とするユーザ情報管理システム、端末、情報サーバ装置、ユーザ情報管理方法、端末プログラム、および情報サービスプログラムを提供する。
【課題を解決するための手段】
【０００５】
上述した課題を解決するために、本発明は、自身を識別する第１の端末識別情報が予め記憶された第１のユーザの第１の端末と、自身を識別する第２の端末識別情報が予め記憶された第２のユーザの第２の端末と、少なくとも前記第１の端末とネットワークを介して通信を行う情報サーバ装置とを備えたユーザ情報管理システムであって、前記第１の端末は、前記第２の端末に記憶された前記第２の端末識別情報を読み出し、読み出した前記第２の端末識別情報と、自身に記憶された前記第１の端末識別情報とを前記情報サーバ装置に送信する端末識別情報送信部を備え、前記情報サーバ装置は、前記第１の端末識別情報に対応付けられた前記第１のユーザの属性を示す第１のユーザ情報と、前記第２の端末識別情報に対応付けられた前記第２のユーザの属性を示す第２のユーザ情報とが記憶される記憶部と、前記第１の端末の前記端末識別情報送信部から送信される前記第１の端末識別情報に対応付けられた前記第１のユーザ情報を前記記憶部から読み出し、また、前記第１の端末の前記端末識別情報送信部から送信される前記第２の端末識別情報に対応付けられた前記第２のユーザ情報を前記記憶部から読み出し、読み出した前記第１のユーザ情報と前記第２のユーザ情報とを対応付ける対応情報を前記記憶部に記憶させる情報登録部とを備えることを特徴とするユーザ情報管理システムである。
【０００６】
また、本発明は、前記第１の端末は、入力されるユーザ情報と、自身に記憶された前記第１の端末識別情報とを、前記情報サーバ装置に送信するユーザ情報送信部をさらに備え、前記情報サーバ装置の前記情報登録部は、前記ユーザ情報送信部から送信される前記ユーザ情報と前記第１の端末識別情報とを、前記記憶部に記憶させることをさらに特徴とする。
【０００７】
また、本発明は、第１の端末識別情報に対応付けられた前記第１のユーザの属性を示す第１のユーザ情報と、第２の端末識別情報に対応付けられた第２のユーザの属性を示す第２のユーザ情報とが記憶される記憶部を備えた情報サーバ装置とネットワークを介して通信を行う第１のユーザの第１の端末であって、自身を識別する第１の端末識別情報が予め記憶された端末情報記憶部と、第２の端末に記憶された前記第２の端末識別情報を読み出し、読み出した前記第２の端末識別情報と、自身に記憶された前記第１の端末識別情報とを前記情報サーバ装置に送信する端末識別情報送信部と、を備えることを特徴とする端末である。
【０００８】
また、本発明は、自身を識別する第１の端末識別情報が予め記憶された第１のユーザの第１の端末とネットワークを介して通信を行う情報サーバ装置であって、前記第１の端末識別情報に対応付けられた前記第１のユーザの属性を示す第１のユーザ情報と、第２の端末識別情報に対応付けられた第２のユーザの属性を示す第２のユーザ情報とが記憶される記憶部と、前記第１の端末から送信される、前記第２の端末に記憶された前記第２の端末識別情報と、前記第１の端末に記憶された前記第１の端末識別情報とを受信する端末識別情報受信部と、前記端末識別情報受信部が受信する前記第１の端末識別情報に対応付けられた前記第１のユーザ情報を前記記憶部から読み出し、また、前記端末識別情報受信部が受信する前記第２の端末識別情報に対応付けられた前記第２のユーザ情報を前記記憶部から読み出し、読み出した前記第１のユーザ情報と前記第２のユーザ情報とを対応付ける対応情報を前記記憶部に記憶させる情報登録部と、を備えることを特徴とする情報サーバ装置である。
【０００９】
また、本発明は、自身を識別する第１の端末識別情報が予め記憶された第１のユーザの第１の端末と、自身を識別する第２の端末識別情報が予め記憶された第２のユーザの第２の端末と、少なくとも前記第１の端末とネットワークを介して通信を行う情報サーバ装置とを備えたユーザ情報管理システムを用いたユーザ情報管理方法であって、前記第１の端末の、端末識別情報送信部が、前記第２の端末に記憶された前記第２の端末識別情報を読み出し、読み出した前記第２の端末識別情報と、自身に記憶された前記第１の端末識別情報とを前記情報サーバ装置に送信するステップと、前記情報サーバ装置の、記憶部に、前記第１の端末識別情報に対応付けられた前記第１のユーザの属性を示す第１のユーザ情報と、前記第２の端末識別情報に対応付けられた前記第２のユーザの属性を示す第２のユーザ情報とが記憶されるステップと、情報登録部が、前記第１の端末の前記端末識別情報送信部から送信される前記第１の端末識別情報に対応付けられた前記第１のユーザ情報を前記記憶部から読み出し、また、前記第１の端末の前記端末識別情報送信部から送信される前記第２の端末識別情報に対応付けられた前記第２のユーザ情報を前記記憶部から読み出し、読み出した前記第１のユーザ情報と前記第２のユーザ情報とを対応付ける対応情報を前記記憶部に記憶させるステップと、を備えることを特徴とするユーザ情報管理方法である。
【００１０】
また、本発明は、第１の端末識別情報に対応付けられた前記第１のユーザの属性を示す第１のユーザ情報と、第２の端末識別情報に対応付けられた第２のユーザの属性を示す第２のユーザ情報とが記憶される記憶部を備えた情報サーバ装置とネットワークを介して通信を行い、自身を識別する第１の端末識別情報が予め記憶された端末情報記憶部を有する第１のユーザの第１の端末に、端末識別情報送信部が、第２の端末に記憶された前記第２の端末識別情報を読み出し、読み出した前記第２の端末識別情報と、自身に記憶された前記第１の端末識別情報とを前記情報サーバ装置に送信するステップを実行させる端末プログラムである。
【００１１】
また、本発明は、自身を識別する第１の端末識別情報が予め記憶された第１のユーザの第１の端末とネットワークを介して通信を行う情報サーバ装置に、記憶部に、前記第１の端末識別情報に対応付けられた前記第１のユーザの属性を示す第１のユーザ情報と、第２の端末識別情報に対応付けられた第２のユーザの属性を示す第２のユーザ情報とが記憶させるステップと、端末識別情報受信部が、前記第１の端末から送信される、前記第２の端末に記憶された前記第２の端末識別情報と、前記第１の端末に記憶された前記第１の端末識別情報とを受信するステップと、情報登録部が、前記端末識別情報受信部が受信する前記第１の端末識別情報に対応付けられた前記第１のユーザ情報を前記記憶部から読み出し、また、前記端末識別情報受信部が受信する前記第２の端末識別情報に対応付けられた前記第２のユーザ情報を前記記憶部から読み出し、読み出した前記第１のユーザ情報と前記第２のユーザ情報とを対応付ける対応情報を前記記憶部に記憶させるステップとを実行させることを特徴とする情報サービスプログラムである。
【発明の効果】
【００１２】
本発明によれば、実際に相手ユーザの許可を得て読み取った端末の識別番号をサーバに送信することによって、その識別番号に対応して記憶された情報が、ユーザの使用する端末に提供されることから、ユーザの情報がむやみに流出することはなく、情報管理の面で安全である。また、ユーザは、必要なときに情報サーバ装置にアクセスし、他のユーザ情報を容易に閲覧することが可能である。また、情報登録は、ユーザ自らが予め行っておくため、システム利用者の煩雑な登録作業はなく、管理も容易である。また、ユーザにとっても、自分の意思により登録した情報だけが他のユーザに閲覧されることになり、安全である。
【発明を実施するための最良の形態】
【００１３】
以下に、添付図面を参照しながら、本発明に係るユーザ情報管理システムの好適な実施形態について詳細に説明する。なお、以下の説明および添付図面において、略同一の機能構成を有する構成要素については、同一の符号を付することにより重複説明を省略することにする。
【００１４】
図１は、ユーザ情報管理システム１のブロック構成図である。ユーザ情報管理システム１は、情報サーバ装置３、第１の携帯端末５、第２の携帯端末７から構成される。
情報サーバ装置３は、入力部、出力部、記憶部、演算部、制御部を備えるサーバコンピュータ等であり、第１の携帯端末５、第２の携帯端末７に対して、無線又は有線のネットワークを介してデータ送受信が可能である。
【００１５】
第１の携帯端末５は、入力部、出力部、記憶部、制御部、演算部などを有し、インターネットブラウザ機能を有する携帯電話、ＰＨＳ（Personal Handyphone System）、ＰＤＡ（Personal Digital Assistant）等の携帯端末であり、第１の端末識別情報が予め記憶されたＩＣチップを有する。本実施形態では、第１の携帯端末５は、ユーザＡに利用される。第２の携帯端末７は、所有者がユーザＢである携帯端末であり、第２の端末識別情報が予め記憶されたＩＣチップを有する。第１の携帯端末５と第２の携帯端末７とが備えるＩＣチップは、自身にアンテナを備えており、ＩＣリーダ／ライタや他のＩＣチップと非接触でデータ通信が可能である。第１の携帯端末５及び第２の携帯端末７は、後述するアプリケーションプログラムをダウンロードして起動させることによって、互いに端末識別情報等を送受信する。
【００１６】
第１の携帯端末５は、識別情報登録部２１と識別情報受信部２３を有する。本実施形態では、識別情報受信部２３は、ＩＣチップが適用され、自身の記憶領域内に自身を識別する第１の端末識別情報が記憶されている。第２の携帯端末７は、識別情報送信部３１を有する。本実施形態では、識別情報送信部３１は、ＩＣチップが適用され、自身の記憶領域内に自身を識別する第２の端末識別情報が記憶されている。第１の携帯端末５の識別情報受信部２３は、通信領域内に第２の携帯端末の識別情報送信部３１を検知すると、第２の携帯端末の識別情報送信部３１に対して第２の端末識別情報の取得要求を送信し、第２の携帯端末７の識別情報送信部３１は、この取得要求に応じて、第２の端末識別情報を第１の携帯端末５の識別情報受信部２３に送信する。第１の携帯端末５の識別情報受信部２３は、第２の端末識別情報を受信すると、識別情報登録部２１に出力する。識別情報登録部２１は、ネットワークを介して、情報サーバ装置３に第２の端末識別情報を送信する。
【００１７】
情報サーバ装置３はサーバコンピュータであって、後述する処理を行うプログラムに従って、ユーザ情報と対応情報との記憶や、ユーザ情報の閲覧提供処理を行う。情報サーバ装置３は、情報受信部１１、情報登録部１３、情報記憶部１５、ユーザ情報閲覧提供部１７を有する。情報受信部１１は、第１の携帯端末５や第２の携帯端末７から送信されるユーザ情報や端末識別情報を受信し、情報登録部１３に伝える。情報登録部１３は、第１の携帯端末５から受信する情報に基づいて、情報記憶部１５が備えるユーザ情報記憶部４１や対応情報記憶部４３に情報を記憶させて登録する。ユーザ情報記憶部４１には、端末識別情報に対応付けられて、携帯端末のユーザの属性を示すユーザ情報が記憶される。対応情報記憶部４３には、端末識別情報と、その端末識別情報に対応付けられた端末識別情報に対応するユーザ情報が記憶される。ユーザ情報閲覧提供部１７は、インターネットなどのネットワークを介して送信されるユーザ情報を受信してユーザ情報記憶部４１に記憶させたり、ネットワークを介して受信する情報閲覧要求に応じて、ユーザ情報記憶部４１や対応情報記憶部４３に記憶された情報を送信したりするウェブサービスを提供する。
【００１８】
以下に、ユーザ情報管理システム１の動作について説明する。
図２は、ユーザ情報管理システム１におけるユーザ情報の登録処理の流れを示すシーケンス図である。第１の携帯端末５は、ユーザに入力されるユーザ情報を、情報サーバ装置３に送信する（ステップＳ１０１）。ここで、ユーザ情報とは、第１の携帯端末５の使用者であるユーザＡの属性を示すユーザ情報であり、例えば、ユーザＡの氏名、年齢、顔写真、会社名、所属、メールアドレス等である。
【００１９】
情報サーバ装置３は、送信されたユーザ情報に、当該ユーザ情報を識別するユーザ識別情報を付与し、ユーザ識別情報を含むユーザ情報を情報記憶部１５のユーザ情報記憶部４１に記憶させると（ステップＳ１０２）、第１の携帯端末５に対して、ステップＳ１０２３でユーザ情報に付与したユーザ識別情報を付加したアプリケーションプログラムのダウンロード用ＵＲＬを通知する（ステップＳ１０３）。このアプリケーションプログラムは、第１の携帯端末５が、自身の第１の端末識別情を情報サーバ装置３に通知したり、第２の携帯端末といった他の端末の端末識別情報を読み出す処理を行うプログラムである。
【００２０】
第１の携帯端末５は、通知されたＵＲＬにアクセスしてアプリケーションプログラムをダウンロードし、アプリケーションプログラムを起動する（ステップＳ１０４）。アプリケーションプログラムを起動することにより、ステップＳ１０３で通知されたＵＲＬに付与されたユーザ識別情報と、第１の携帯端末５のＩＣチップに記憶される第１の端末識別情報とが、識別情報登録部２１から情報サーバ装置３の情報受信部１１に送信される。情報サーバ装置３の情報受信部１１が、ユーザ識別情報と第１の識別情報を受信すると、情報登録部１３は、情報受信部１１が受信したユーザ識別情報を含むユーザ情報をユーザ情報記憶部４１から読み出す。そして、情報登録部１３は、読み出したユーザ情報に、第１端末識別情報を付与し、第１の端末識別情報を含むユーザ情報を、ユーザ情報記憶部４１に記憶させる。（ステップＳ１０５）。
【００２１】
こうして、第１の携帯端末５のユーザ情報記憶部４１が情報サーバ装置３に記憶されると、情報サーバ記憶装置３は、第１の携帯端末５のユーザＡ用のユーザ情報ページを設けてもよい。ユーザＡは、第１の携帯端末５を用いて情報サーバ装置３にアクセスし、ユーザ情報ページにアクセスすることで後述する対応情報記憶部４３に対応したユーザ情報を閲覧することが可能となる。
尚、ステップＳ１０１、ステップＳ１０２のユーザ情報の入力及び登録処理は、パーソナルコンピュータ等の第１の携帯端末５以外の端末を用いてもよい。その場合、ユーザ情報として第１の携帯端末５のメールアドレスを入力させ、アプリケーションプログラムのＵＲＬ通知は第１の携帯端末５に行うことができる。
【００２２】
次に、情報サーバ装置３が、第１の携帯端末５に対して、第２の携帯端末７のユーザＢのユーザ情報を提供する動作について説明する。
まず、第２の携帯端末７にも前述のアプリケーションプログラムがダウンロードされ、第２の携帯端末７のユーザＢに関するユーザ情報が既に情報サーバ装置３の情報記憶部１５に記憶されている場合について説明する。
【００２３】
図３は、ユーザ情報記憶部４１に記憶されるユーザ情報の一例を示す図である。図３に示すように、ユーザ情報記憶部４１には、例えば、ユーザ識別情報「ａａａａ」と、第１の携帯端末の第１の端末識別情報「ＡＡＡＡ」とが付与され、ユーザＡの氏名、会社、所属、役職、電話番号、ＦＡＸ番号、顔写真等のユーザ情報が記憶される。ここで、顔写真は、顔写真の画像ファイルや、顔写真の画像ファイルのリンク先等である。図３の例では、同様に、ユーザ識別情報「ｂｂｂｂ」と第２の携帯端末７の端末識別情報「ＢＢＢＢ」とが付与されたユーザＢのユーザ情報が情報記憶部１５に記憶されている。ここで、ユーザ情報記憶部４１に記憶されるユーザ情報の項目は、図３に示される限りではなく、システムの提供者によって適切な項目が設定されて良く、また、そのうち情報を入力する項目はユーザが任意に選べるようにしても良い。
【００２４】
図４は、第１の携帯端末５と第２の携帯端末７との対応情報が、情報サーバ装置３に記憶される記憶処理の流れを示すシーケンス図である。
第１の携帯端末５が、第２の携帯端末７に対して第２の端末識別情報を要求すると（ステップＳ２０１）、第２の携帯端末７の識別情報送信部３１は、第１の携帯端末５の識別情報受信部２３に対して、第２の携帯端末の端末識別情報である第２の端末識別情報を送信する（ステップＳ２０２）。この方法としては、例えば、ユーザＡが、第１の携帯端末５のアプリケーションプログラムを起動し、第１の携帯端末５を第２の携帯端末７に近づけると、第１の携帯端末５が第２の端末識別情報を読み出すものである。
【００２５】
第１の携帯端末５の識別情報登録部２１が、第１の携帯端末５の端末識別情報である第１の端末識別情報と、識別情報受信部２３が受信した第２の端末識別情報とを、情報サーバ装置３の情報受信部１１に送信すると、（ステップＳ２０３）、情報登録部１３の情報受信部１１は、送信された第１の端末識別情報と第２の端末識別情報とを受信する。情報登録部１３は、情報受信部１１が受信した第１の端末識別情報に対応するユーザ識別情報に、第２の端末識別情報に対応するユーザ情報を対応付けた対応情報を、対応情報記憶部４３に記憶させる（ステップＳ２０４）。
【００２６】
図５は、ユーザＡのユーザ識別情報に対応させて対応情報記憶部４３に記憶された対応情報の一例である。図５に示されるように、例えば、対応情報記憶部４３は、ユーザＡのユーザ識別情報「ａａａａ」に、「ｋｋｋｋ」をユーザ識別情報とするユーザＫと、「ｂｂｂｂ」をユーザ識別情報とするユーザＢとのそれぞれのユーザ情報が対応付けられた対応情報が記憶される。図４に示した処理が終了すると、第２の携帯端末の第２の端末識別情報「ＢＢＢＢ」に対応するユーザ識別情報「ｂｂｂｂ」を含むユーザ情報が、第１の携帯端末の第１の端末識別情報「ＡＡＡＡ」に対応するユーザ識別情報「ａａａａ」に対応付けられて対応情報記憶部４３に追加され記憶される。そして、第１の携帯端末５が、情報サーバ装置３のユーザ情報閲覧提供部１７にアクセスすると、対応情報記憶部４３に記憶されたユーザ情報が提供され、閲覧可能となる。例えば、図５に示す対応情報記憶部４３では、第１の携帯端末５は、ユーザ識別情報が「ｋｋｋｋ」のユーザ情報と、ユーザ識別情報が「ｂｂｂｂ」のユーザ情報とを閲覧することが可能である。
【００２７】
ここで、図５では、ユーザ識別情報「ａａａａ」に対応付けて、対応ユーザ識別情報を含むユーザ情報を記憶させる例を説明したが、例えば、ユーザ情報記憶部４１に記憶されたユーザ識別情報とユーザ識別情報とのみの対応情報を、対応情報４３に記憶させるようにしても良い。この場合でも、対応ユーザ識別情報が含まれるユーザ情報をユーザ情報記憶部４１から読み出すことによって、仮想テーブルとして図５のような対応情報を読み出すことが可能である。
ここで、ユーザ識別情報「ａａａａ」の対応情報としてユーザ識別情報「ｂｂｂｂ」のユーザ情報を記憶させる際には、同時に、ユーザ識別情報「ｂｂｂｂ」の対応情報としてユーザ識別情報「ａａａａ」のユーザ情報を記憶させるようにしても良い。
【００２８】
次に、第２の携帯端末７のユーザＢに関するユーザ情報記憶部４１が情報サーバ装置３の情報記憶部１５に予め記憶されていない場合について説明する。
図６は、第２の携帯端末７のユーザ情報（ユーザＢ）が登録されていない場合の、第１の携帯端末５と第２の携帯端末７との対応情報記憶処理の流れを示すシーケンス図である。第１の携帯端末５は、第２の携帯端末７に対して、第２の端末識別情報を要求すると（ステップＳ３０１）、第２の携帯端末７の識別情報送信部３１は、第１の携帯端末５の識別情報受信部２３に対して、第２の携帯端末の端末識別情報である第２の端末識別情報を送信する（ステップＳ３０２）。この端末識別情報の送受信方法は前述の方法と同様である。
【００２９】
第１の携帯端末５の識別情報登録部２１は、識別情報受信部２３が受信した第２の端末識別情報を、情報サーバ装置３の情報受信部１１に送信し（ステップＳ３０３）、情報登録部１３は、情報受信部１１が受信した第２の端末識別情報を、第１の携帯端末５の第１の端末識別情報と対応させて、対応情報記憶部４３に記憶させる（ステップＳ３０４）。
【００３０】
図７は、第１の携帯端末５の第１の端末識別情報に対応させて記憶された対応情報記憶部４３の一例である。ステップＳ３０４の時点では、ユーザ識別情報「ａａａａ」の対応情報としてユーザ識別情報「ｂｂｂｂ」が記憶されるが、ユーザＢのユーザ情報がユーザ情報記憶部４１にまだ記憶されていないため、第１の携帯端末５は第２の携帯端末７のユーザ情報を閲覧することはできない。
【００３１】
次に、情報サーバ装置３は、第１の携帯端末５に対して、ユーザＢのユーザ識別情報「ｂｂｂｂ」を付加したユーザ情報登録用ＵＲＬを送信し（ステップＳ３０５）、第１の携帯端末５は第２の携帯端末７にユーザ情報登録用ＵＲＬを送信する（ステップＳ３０６）。第２の携帯端末７は、そのＵＲＬにアクセスし、情報サーバ装置３に対してユーザ情報を送信する（ステップＳ３０７）。こうして、第２の携帯端末７のユーザ情報がユーザ情報記憶部４１に記憶されると、図７に示す対応情報は、図５に示す対応情報のようになり、第１の携帯端末５は、第２の携帯端末７のユーザ情報を閲覧できるようになる。
【００３２】
尚、ステップＳ３０５、ステップＳ３０６において、第１の携帯端末５から第２の携帯端末７にアプリケーションプログラムダウンロード用ＵＲＬを送信してもよい。この場合、第２の携帯端末７は、図２に示すユーザ情報登録処理に従って情報サーバ装置３に自身のユーザ情報記憶部４１を記憶する。
【００３３】
このように、本ユーザ情報管理システム１によれば、実際に会って、携帯端末をかざすなどして端末識別情報を取得したユーザ同士がユーザ情報を見ることが可能となるため、情報の信頼性や情報管理の安全性が確保できる。
また、ユーザ情報記憶部４１の入力はユーザ自身が行い、また、ユーザ情報や対応情報の管理はサーバ３が行い、携帯端末が情報を閲覧したい場合に要求すれば、携帯端末は情報サーバ装置３から情報を提供され、閲覧することが可能である。
また、ユーザ情報記憶部４１の情報はユーザによって入力されるものであり、例えば、公開許可フラグなどを設けてユーザに入力させ、情報を提供する提供先や情報内容を指定させても良い。
また、ユーザ情報閲覧提供部１７は、各ユーザに、自身のユーザ情報の更新を行うことを可能とするウェブサイトを提供し、当該ウェブサイトを介して更新されるユーザ情報を、対応情報記憶部４３に記憶される対応情報にも反映されるようにしてもよい。このようにすれば、所属、役職、電話番号などのユーザ情報に変更があった場合でも、再度会ってから名刺を交換するようなことなく、最新のユーザ情報を閲覧させることができる。
【００３４】
次に、本ユーザ情報管理システムを展示会等に応用した例を説明する。
図８はユーザ情報管理システム２のブロック構成図である。ユーザ情報管理システム２は、情報サーバ装置３、第１の携帯端末５１、端末７１から構成される。図８に示す情報サーバ装置３は、図１に示す情報サーバ装置３と同等である。第１の携帯端末５１は、所有者がユーザＡである携帯電話、ＰＨＳ、ＰＤＡ等の携帯端末であり、第１の端末識別情報を有する。端末７１は、企業が出展する展示会の企業ブースごとに置かれた端末であり、第２の端末識別情報を有する。第１の携帯端末５１と端末７１は非接触でデータの送受信が可能である。例えば、図８に示すユーザ情報管理システム２において、第１の携帯端末５１をＩＣ付携帯電話とし、端末７１をＩＣチップのリーダ／ライタとしても良い。
【００３５】
第１の携帯端末５１は、識別情報登録部５３と識別情報送受信部５５を有する。識別情報送受信部５５は、端末７１に第２の端末識別情報を要求し、読み出す。識別情報登録部５３は、識別情報送受信部５５によって読み出された第２の端末識別情報を情報サーバ装置３に送信する。また、端末７１は、第１の携帯端末５１の第１の端末識別情報を読み出す。識別情報登録部７３は、識別情報送受信部７５によって読み出された第１の端末識別情報を情報サーバ装置３に送信する。
【００３６】
第１の携帯端末５１のを利用するユーザのユーザ情報は、ユーザ情報管理システム１の場合と同様に登録され、同様に、第１の端末識別情報に対応されて情報記憶部１５に記憶される。端末７１のユーザ情報記憶部４１としては、例えば、出展した企業の名称、連絡先、出展物の情報等であり、端末７１の端末識別情報に対応させて情報記憶部１５に記憶される。
【００３７】
第１の携帯端末５１の対応情報記憶部４３の記憶処理は、図４に示す流れと同様である。実際には、ユーザＡは、アプリケーションプログラムを起動し、見学した展示ブースに設置された端末７１に第１の携帯端末５１を近づけることで、第１の携帯端末５１は端末７１から第２の端末識別情報を受信し、図４に示すように対応情報記憶部４３に記憶される。
【００３８】
図９は、第１の携帯端末５１を利用するユーザＡのユーザ識別情報「ａａａａ」に対応した対応情報記憶部４３の一例を示す図である。図９に示すように、第１の携帯端末５１の対応情報記憶部４３には、第１の携帯端末５１が見学し、第１の携帯端末５１を用いて受信した端末識別情報が記憶され、ユーザＡはこの対応情報記憶部４３を用いて、見学した企業の履歴、各企業に関するユーザ情報記憶部４１を閲覧することが可能である。
【００３９】
同様に、端末７１も、展示ブースに設置された端末７１の識別情報受信部７５が第１の携帯端末５１の第１の端末識別情報を受信し、識別情報登録部７３が情報サーバ装置３に送信することによって、端末７１の第２の端末識別情報の対応情報記憶部４３に記憶される。したがって、出展ブースの見学者が携帯端末を端末７１に近づけて、端末７１が端末識別情報を受信し、情報サーバ装置３に送信することで、対応情報記憶部４３に見学者の情報が記憶、蓄積され、企業Ｃは、後で対応情報記憶部４３とユーザ情報記憶部４１を閲覧することによって、自社の展示ブースの見学者の情報を得ることができる。
【００４０】
以上、添付図面を参照しながら、本発明に係るユーザ情報管理システムの好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【００４１】
このように、本発明によれば、実際に会った人同士が携帯端末を用いてお互いの登録した情報を交換でき、その情報管理も情報サーバ装置が行うため、情報管理の面で安全であり、ユーザ情報を容易に蓄積し、記憶することが可能である。本ユーザ情報管理システムは、ＳＮＳなどのユーザ情報を扱うコミュニティサービスに適用したり、また、展示会等に適用することで、見学者は自身の見学した会社の履歴を把握でき、その会社や展示内容の情報を携帯端末を用いて容易に取得できる。また、出展者は、リアルタイムに見学者の情報を収集することができる。
【００４２】
なお、本発明における処理部の機能を実現するためのプログラムをコンピュータ読み取り可能な記録媒体に記録して、この記録媒体に記録されたプログラムをコンピュータシステムに読み込ませ、実行することによりユーザ情報の管理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００４４】
【図１】ユーザ情報管理システム１のブロック構成図
【図２】情報通信システム１によるユーザ情報登録処理の流れを示すシーケンス図
【図３】ユーザ情報記憶部４１の一例を示す図
【図４】情報通信システム１による対応情報登録処理の流れを示すシーケンス図
【図５】第１の携帯端末５の対応情報記憶部４３の一例を示す図
【図６】第２の携帯端末７のユーザ情報記憶部４１が登録されていない場合の情報通信システム１による対応情報登録処理の流れを示すシーケンス図
【図７】第２の携帯端末７のユーザ情報記憶部４１が登録されていない場合の第１の携帯端末５の対応情報記憶部４３の一例を示す図
【図８】ユーザ情報管理システム２のブロック構成図
【図９】ユーザ情報記憶部４１の一例を示す図
【符号の説明】
【００４５】
１、２………ユーザ情報管理システム
３………情報サーバ装置
５………第１の携帯端末
７………第２の携帯端末
１１………情報受信部
１３………情報登録部
１５………情報記憶部
１７………ユーザ情報閲覧提供部
２１………識別情報登録部
２３………識別情報登録部
３１………識別情報送信部
【図１】
2009212619.tif 000003
【図２】
2009212619.tif 000004
【図３】
2009212619.tif 000005
【図４】
2009212619.tif 000006
【図５】
2009212619.tif 000007
【図６】
2009212619.tif 000008
【図７】
2009212619.tif 000009
【図８】
2009212619.tif 000010
【図９】
2009212619.tif 000011